(57)【要約】      （修正有）【課題】  各画素を構成する有機ＥＬ素子の点灯制御を少ない数の能動素子により実現する。【解決手段】各列ごとに順方向に直列接続されたＥＬ素子Ｅ11〜Ｅmnに対して定電流源Ｉ1 〜Ｉm より、点灯駆動電流が供給されるように構成する。各ＥＬ素子Ｅ11〜Ｅmnのアノード端子とカソード端子との間には、ＥＬ素子を点灯制御する個別点灯制御スイッチＳ11〜Ｓmnが接続されている。この個別点灯制御スイッチをオフとした場合においては、定電流源からの点灯駆動電流は、これに対応するＥＬ素子を流れることになり、そのＥＬ素子は点灯される。また個別点灯制御スイッチをオンとした場合においては、定電流源Ｉ1 からの点灯駆動電流は、個別点灯制御スイッチをバイパスして流れ、これに対応するＥＬ素子は消灯される。各画素に対応して１つのＴＦＴを使用することで、ＥＬ素子を個々に点灯駆動させることができるので開口率を向上させることができる。【選択図】  図１
2005234487.tif 000002
【特許請求の範囲】
【請求項１】
複数の自発光素子を直列接続することで発光表示パネルを形成すると共に、直列接続された前記自発光素子に対して点灯駆動電流を供給する定電流源が具備され、かつ前記各自発光素子の両端子の間には、それぞれの自発光素子を点灯制御する個別点灯制御スイッチが接続されていることを特徴とする発光表示装置。
【請求項２】
前記定電流源に直列接続された各自発光素子に対して、さらに直列に全消灯スイッチが接続され、当該全消灯スイッチのオフ動作により前記定電流源と各自発光素子の直列接続状態が開放できるように構成したことを特徴とする請求項１に記載の発光表示装置。
【請求項３】
前記各自発光素子の両端のうち一方には、当該自発光素子ごとに直列にリーク防止スイッチが介在され、前記個別点灯制御スイッチがリーク防止スイッチを介して各自発光素子の両端に接続され、それぞれの自発光素子に対応して配置された前記個別点灯制御スイッチとリーク防止スイッチとは、互いに択一的にオン状態に制御されるように構成したことを特徴とする請求項１または請求項２に記載の発光表示装置。
【請求項４】
前記各自発光素子は、表示パネルに対してマトリクス状に配列され、各列ごとの自発光素子に対して各定電流源よりそれぞれ点灯駆動電流が供給されるように構成したことを特徴とする請求項１ないし請求項３のいずれか１項に記載の発光表示装置。
【請求項５】
前記各自発光素子は、表示パネルに対してマトリクス状に配列され、前記各自発光素子による発光領域が複数のブロックにわけて形成されると共に、各ブロックごとの自発光素子に対して各定電流源よりそれぞれ点灯駆動電流が供給されるように構成したことを特徴とする請求項１ないし請求項３のいずれか１項に記載の発光表示装置。
【請求項６】
前記各自発光素子は、表示パネルに対してマトリクス状に配列され、表示パネル上の全ての前記自発光素子に対して一つの定電流源から点灯駆動電流が供給されるように構成したことを特徴とする請求項１ないし請求項３のいずれか１項に記載の発光表示装置。
【請求項７】
前記自発光素子がそれぞれ直列に接続されて表示パネルの一端部側から点灯駆動電流が供給されるように構成することで第１の発光領域を形成し、同じく前記自発光素子がそれぞれ直列に接続されて表示パネルの他端部側から点灯駆動電流が供給されるように構成することで第２の発光領域を形成し、前記第１の発光領域における直列に接続された自発光素子の末端の端子と、前記第２の発光領域における直列に接続された自発光素子の末端の端子とが、前記表示パネルのほぼ中央における１つの電位点において接続されていることを特徴とする請求項４ないし請求項６のいずれか１項に記載の発光表示装置。
【請求項８】
前記各スイッチはＴＦＴにより構成されて前記発光表示パネルに配列され、各ＴＦＴのゲート電極には当該ＴＦＴのゲート電位を保持する電荷保持用キャパシタが接続されていることを特徴とする請求項１ないし請求項７のいずれか１項に記載の発光表示装置。
【請求項９】
前記自発光素子はダイオード特性を有することを特徴とする請求項１ないし請求項８のいずれか１項に記載の発光表示装置。
【請求項１０】
前記自発光素子が、有機化合物を発光層に用いた有機ＥＬ素子であることを特徴とする請求項１ないし請求項９のいずれか１項に記載の発光表示装置。
【請求項１１】
請求項１ないし請求項１０のいずれか１項に記載の発光表示装置を搭載したことを特徴とする電子機器。
【発明の詳細な説明】
【技術分野】
【０００１】
この発明は、電流駆動型自発光素子を多数配列することで表示パネルを形成した発光表示装置に関し、特に前記各自発光素子の点灯制御を少ない数の能動素子により実現することで、この種の表示パネルの開口率を向上させることができる発光表示装置およびこれを搭載した電子機器に関する。
【背景技術】
【０００２】
情報機器の多様化に伴い、高精細な画像表示機能を有し、薄型かつ低消費電力を実現することができる表示パネルの需要が増大しており、従来より液晶表示パネルがその要求を満たす表示パネルとして多くの製品に採用されている。また昨今においては、自発光素子を例えばマトリクス状に配列して構成される表示パネルを用いた発光表示装置の開発が広く進められており、このような表示パネルに配列される発光素子として、例えば有機材料を発光層に用いた有機ＥＬ（エレクトロルミネッセンス）素子が注目されている。これは、ＥＬ素子の発光層に、良好な発光特性を期待することができる有機化合物を使用することによって、実用に耐えうる高効率化および長寿命化が進んだことも背景にある。
【０００３】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であると言える。この有機ＥＬ素子は発光駆動電圧が印加されると、先ず、当該素子の電気容量に想到する電荷が電極に変位電流として流れ込み蓄積される。続いて当該素子固有の一定の電圧（発光閾値電圧）が超えると、一方の電極（ダイオード成分のアノード電極側）から発光層を構成する有機層に電流が流れ始め、この電流に比例した強度で発光すると考えることができる。
【０００４】
かかる有機ＥＬ素子を用いた表示パネルとして、ＥＬ素子を単にマトリクス状に配列した単純マトリクス型表示パネルと、マトリクス状に配列したＥＬ素子の各々に、ＴＦＴ（Thin Film Transistor）からなる能動素子を加えたアクティブマトリクス型表示パネルが提案されている。前者の単純マトリクス型表示パネルは、構成を簡素化できるという特質を有しているものの、後者のアクティブマトリクス型表示パネルは、前者の単純マトリクス型表示パネルに比べて、低消費電力化を実現することができ、また画素間のクロストークが少ない等の特質を備えており、特に大画面を構成する高精細度のディスプレイに適している。
【０００５】
ここで、前記したアクティブマトリクス型表示パネルにおいては、各画素を構成する前記ＥＬ素子をＴＦＴによって個々に点灯駆動させるように制御されるが、前記ＥＬ素子は電流駆動型素子であるために、画素を選択するための走査選択用ＴＦＴと、ＥＬ素子に駆動電流を供給するための点灯駆動用ＴＦＴとが各画素ごとに必要となる。このように１画素ごとに２つのＴＦＴを備えた最も基本的なものとして、コンダクタンスコントロール（Conductance Controlled）方式と呼ばれる画素構成（例えば特許文献１の図５参照）が知られている。
【０００６】
また、前記したコンダクタンスコントロール方式による画素構成の問題点を補うために、さらに消去用ＴＦＴを備え、時分割階調表現を実現する同時消去法（ＳＥＳ＝Simultaneous Erasing Scan ）と呼ばれる点灯駆動方式の画素構成（例えば特許文献１の図１５参照）も提案されている。さらにまた、点灯駆動用ＴＦＴのスレッショルド電圧の影響をなくすために電圧プログラム方式の画素構成や電流プログラム方式の画素構成（例えば非特許文献１参照）、その他にカレントミラー駆動方式の画素構成（例えば特許文献２の図１参照）なども提案されている。
【特許文献１】特開２００３−３１６３１５号公報
【特許文献２】特開２００１−１４７６５９号公報
【非特許文献１】「フラットパネルディスプレイ大辞典」  株式会社工業調査会出版  ２００１年１２月２５日  Ｐ．４５０〜４５３
【発明の開示】
【発明が解決しようとする課題】
【０００７】
ところで、前記した特許文献１，２および非特許文献１に示された各画素構成によると、１つの画素に対して４つ前後のＴＦＴを備える必要が生ずる。このように１つの画素に対応したＴＦＴの数が増加すれば、単位画素に対応する素子の発光面積の割合を示す開口率が低下する。この開口率が低下する場合には、表示パネルの実質的な輝度低下が招来され、これを補うにはＥＬ素子に対してより大きな駆動電流を流すなどの対処が必要となり、素子の発光寿命を低下させる一因になる。
【０００８】
また、前記したように１つの画素に対応したＴＦＴの数が増加すれば、これが配列される発光表示基板の歩留まりを良くすることが難かしくなる。さらに、ＥＬ素子を点灯駆動させるＴＦＴにおいては、これを定電流駆動させるために、当該ＴＦＴ内において電力損失を伴い、その電力損失によって発光表示パネルを発熱させるという問題も抱えている。
【０００９】
この発明は、前記したように電流駆動型の自発光素子を多数配列することで表示パネルを形成した発光表示装置において、各画素を構成する自発光素子の点灯制御を少ない数の能動素子により実現することで、表示パネルの開口率を向上させることができる発光表示装置およびこれを搭載した電子機器を提供することを課題とするものである。
【課題を解決するための手段】
【００１０】
前記した課題を解決するためになされたこの発明にかかる発光表示装置は、請求項１に記載のとおり、複数の自発光素子を直列接続することで発光表示パネルを形成すると共に、直列接続された前記自発光素子に対して点灯駆動電流を供給する定電流源が具備され、かつ前記各自発光素子の両端子の間には、それぞれの自発光素子を点灯制御する個別点灯制御スイッチが接続されている点に特徴を有する。
【発明を実施するための最良の形態】
【００１１】
以下、この発明にかかる発光表示装置について、図に示す実施の形態に基づいて説明する。なお、以下に説明するこの発明にかかる発光表示装置の各実施の形態においては、自発光素子として、有機ＥＬ素子を用いた場合を例にして説明する。
【００１２】
先ず、図１はこの発明にかかる発光表示装置の基本構成としての第１の実施の形態を示したものであり、この構成においては各ＥＬ素子が順方向に直列接続されて、表示パネルＰａ上に列方向に配列されている。そして、この構成がさらに行方向に互いに隣接するようにして配列され、したがって表示パネルＰａ上には、各ＥＬ素子がマトリクス状に配列された構成になされている。なお、図１には、ダイオードのシンボルマークで示した各ＥＬ素子がｍ列ｎ行にわたって表示パネルＰａ上に配列されている様子を一部割愛して示しており、各ＥＬ素子には、Ｅ11〜Ｅmnの符号を付けて示している。
【００１３】
図１に示す実施の形態においては、各列ごとに順方向に直列接続された各ＥＬ素子に対して各定電流源Ｉ1 〜Ｉm より、それぞれ点灯駆動電流が供給されるように構成されている。すなわち、各定電流源Ｉ1 〜Ｉm には電圧源Ｖａからの駆動電圧がそれぞれ供給され、これにより各定電流源Ｉ1 〜Ｉm において生成される定電流が、それぞれ列ごと直列接続された各ＥＬ素子に対して供給されるように作用する。そして、各列ごとに直列接続された各ＥＬ素子の末端のカソード端子は、それぞれ基準電位点（例えばグランド電位）Ｖｋに接続されている。
【００１４】
前記したようにマトリクス状に配列された各ＥＬ素子Ｅ11〜Ｅmnのアノード端子とカソード端子との間には、それぞれのＥＬ素子を点灯制御する個別点灯制御スイッチＳ11〜Ｓmnが接続されている。なお、この個別点灯制御スイッチは、各ＥＬ素子Ｅ11〜Ｅmnに対して付けた前記符号の“Ｅ”を“Ｓ”に代えてそれぞれのＥＬ素子に対応させて示している。
【００１５】
図２は、前記した個別点灯制御スイッチＳ11〜Ｓmnの作用を説明するものであり、（Ａ）および（Ｂ）は、表示パネルＰａ上に配列された第１列のＥＬ素子と、定電流源の構成を示している。図２（Ａ）に示すように各ＥＬ素子Ｅ11，Ｅ12，〜Ｅ1nに対応した各個別点灯制御スイッチＳ11，Ｓ12，〜Ｓ1nは、これをそれぞれオフとした場合においては、定電流源Ｉ1 からの点灯駆動電流は、矢印で示したように直列接続された前記各ＥＬ素子Ｅ11，Ｅ12，〜Ｅ1nをそれぞれ流れることになり、この結果、その列のＥＬ素子は全て点灯される。
【００１６】
また、図２（Ｂ）に示すように各ＥＬ素子Ｅ11，Ｅ12，〜Ｅ1nに対応した各個別点灯制御スイッチＳ11，Ｓ12，〜Ｓ1nをそれぞれオンとした場合においては、定電流源Ｉ1 からの点灯駆動電流は、矢印で示したように各個別点灯制御スイッチＳ11，Ｓ12，〜Ｓ1nを経由して流れ、その列のＥＬ素子は全て消灯される。ただし、前記した作用を実現させるには、各個別点灯制御スイッチＳ11，Ｓ12，〜Ｓ1nのオン状態のインピーダンスが、ＥＬ素子の順方向のインピーダンスよりも相当に低いという条件が必要である。
【００１７】
図２に基づく説明で明らかなように、図１に示した構成によると、個別点灯制御スイッチを適宜オフさせることにより、この個別点灯制御スイッチに対応したＥＬ素子を個別に点灯させることができ、また、個別点灯制御スイッチをオンさせることにより、この個別点灯制御スイッチに対応したＥＬ素子を個別に消灯させることができる。
【００１８】
図３は前記した個別点灯制御スイッチの具体的な一例を示したものであり、この図３に示した例においても図２と同様に、表示パネルＰａ上に配列された第１列目の各ＥＬ素子と、これにそれぞれ接続された個別点灯制御スイッチの構成例が示されている。前記した個別点灯制御スイッチは、その一部を符号Ｑ11，Ｑ12として示したように、例えばＰチャンネル型のＴＦＴにより構成され、そのソース電極は、これに対応するＥＬ素子のアノード端子に接続され、またそのドレイン電極は、これに対応するＥＬ素子のカソード端子に接続されている。そして、そのゲート電極には電荷保持用のキャパシタＣ11，Ｃ12がそれそれ接続され、個別点灯制御スイッチを構成する各ＴＦＴＱ11，Ｑ12のゲート電位を保持することができるように構成されている。
【００１９】
したがって、図３に示した構成によると、表示パネルＰａにおける画像表示の１フレームもしくは１サブフレームごとのアドレッシング時に、前記したＴＦＴＱ11，Ｑ12……のゲート電位を書き換えることで、１フレームもしくは１サブフレームの間、これに対応する画素（ＥＬ素子）を点灯もしくは消灯状態に保持させる駆動動作が実現できる。
【００２０】
それ故、図１に示した構成によると、電流駆動されるＥＬ素子を含む各画素に対応して１つのＴＦＴを使用することで、１フレームもしくは１サブフレームの期間にわたって画素（ＥＬ素子）を点灯もしくは消灯状態に保持することができる発光表示装置を実現させることができる。したがって、これによると、各画素の開口率を向上させることが可能となるので、従来のように開口率の低下に伴う画素の実質的な輝度低下を補償するために、ＥＬ素子に対して過度の駆動電流を流さざるを得ないといった問題を解消することができる。また、ＴＦＴの数を最小限度にすることができるので、これが配列される発光表示基板の歩留まりを容易に向上させることができる。
【００２１】
また、図１に示した構成によると、従来のアクティブマトリクス表示画素のように、ＥＬ素子を個々に点灯駆動させるＴＦＴに定電流特性を持たせる必要もなく、したがって、点灯駆動用ＴＦＴによる電力損失の発生も免れることができる。なお、図３においてはＴＦＴとしてＰチャンネル型を使用した例が示されているが、これは、Ｎチャンネル型ＴＦＴを使用できることは、勿論のことである。
【００２２】
次に、図４はこの発明にかかる発光表示装置の第２の実施の形態を示したものである。なお、図４においてはすでに説明した図１における各部と同一機能を果たす部分を同一符号で示しており、したがって重複する説明は省略する。この図４に示す構成においては、各定電流源に直列接続された各ＥＬ素子に対して、さらに直列に全消灯スイッチが接続され、当該全消灯スイッチのオフ動作により、前記定電流源と各ＥＬ素子の直列接続状態が開放できるように構成した点に特徴を有する。
【００２３】
すなわち、図４に示す構成においては、各定電流源Ｉ1 〜Ｉm と列ごとのＥＬ素子Ｅ11〜Ｅmnとの間に、それぞれ全消灯スイッチＳa1〜Ｓamが接続されている。この構成においては、列ごとの画素においてその全ての画素が消灯される時、すなわち一列の個別点灯制御スイッチが全てオンになされる場合に、その列に対応する全消灯スイッチがオフに制御される。
【００２４】
これは、１フレームもしくは１サブフレームの間において、一列の全ての画素が消灯であることを、各個別点灯制御スイッチＳ11〜Ｓmnを制御する図示せぬコントローラＩＣは、入力画像データより前もって認識することができる。したがって、これに基づいて前記全消灯スイッチＳa1〜Ｓamのうちの該当するスイッチをオフ状態に制御することが可能である。それ故、前記した全消灯スイッチの制御がなされることにより、その列に対応した定電流源からの電流を遮断させることができ、定電流源の回路内において電力損失が発生するのを効果的に防止することができる。
【００２５】
したがって、図４に示した実施の形態によると、図１に示した実施の形態による前記した作用効果に加え、入力画像データによる各画素の点灯条件の如何によっては、点灯に寄与しない電力損失の発生を効果的に防止させることができる。
【００２６】
なお、図４に示した実施の形態においては、各全消灯スイッチＳa1〜Ｓamは各定電流源Ｉ1 〜Ｉm と順方向に直列接続された各ＥＬ素子との間に介在されているが、この全消灯スイッチＳa1〜Ｓamは、順方向に直列接続されたＥＬ素子の末端のカソード端子と前記した電位点Ｖｋとの間に介在されていてもよく、さらには順方向に直列接続されたＥＬ素子の間に介在されていてもよい。また、前記した全消灯スイッチＳa1〜Ｓamにおいても、図３に示したＴＦＴと同様に表示パネル内に配列することができる。
【００２７】
図５はこの発明にかかる発光表示装置の第３の実施の形態を示したものである。なお、図５においてはすでに説明した図１における各部と同一機能を果たす部分を同一符号で示しており、したがって重複する説明は省略する。この図５に示す構成においては、前記各ＥＬ素子のカソード端子側に、ＥＬ素子ごとに直列にリーク防止スイッチＳb11 〜Ｓbmn を介在させた点に特徴を有する。なお、このリーク防止スイッチは、各ＥＬ素子Ｅ11〜Ｅmnに対して付けた前記符号の“Ｅ”を“Ｓb ”に代えてそれぞれのＥＬ素子に対応させて示している。
【００２８】
そして、前記した個別点灯制御スイッチＳ11〜Ｓmnは、前記リーク防止スイッチＳb11 〜Ｓbmn をそれぞれ介して各ＥＬ素子のアノード端子とカソード端子との間に接続された構成にされている。そして、それぞれのＥＬ素子に対応して配置された前記個別点灯制御スイッチＳ11〜Ｓmnと、リーク防止スイッチＳb11 〜Ｓbmn とは、互いに択一的にオン状態に制御される。
【００２９】
すなわち、ある一つのＥＬ素子を消灯状態に制御するには、これに接続された個別点灯制御スイッチはオン状態になされ、この時、リーク防止スイッチはオフ状態になされる。これにより、個別点灯制御スイッチがそのオン状態において、多少インピーダンスが高くてもＥＬ素子を介してリーク電流が流れるのを効果的に阻止するように働く。したがって、消灯させるべきＥＬ素子がリーク電流によって、暗く点灯するような事態を避けることができる。
【００３０】
なお、図５に示した各リーク防止スイッチＳb11 〜Ｓbmn においても、図３に示したＴＦＴと同様の構成により表示パネル内に形成させることができる。また、図５に示す実施の形態においては前記各リーク防止スイッチＳb11 〜Ｓbmn は、それぞれのＥＬ素子のカソード電極側に配置されているが、これはアノード電極側に配置されていても、その作用効果は同一である。また図５に示した実施の形態においても、図４に示した実施の形態のように各定電流源Ｉ1 〜Ｉm に対応させて全消灯スイッチＳa1〜Ｓamを備えることができる。
【００３１】
図６は、この発明にかかる発光表示装置の第４の実施の形態を示したものである。なお、図６の上半部においては、すでに説明した図１における各部と同一機能を果たす部分を同一符号で示しており、したがって重複する説明は省略する。この図６に示す構成においては、表示パネルのほぼ中央を線対称として、図１に示した構成を上下にパネルＰａ上に配置することで大型の表示パネルを構成させた例を示している。
【００３２】
すなわち、ＥＬ素子がそれぞれ順方向に直列接続されて表示パネルの一端部Ｐ１側から点灯駆動電流が供給されるように構成することで第１の発光領域Ａ１を形成し、同じくＥＬ素子がそれぞれ順方向に直列接続されて表示パネルＰａの他端部Ｐ２側から点灯駆動電流が供給されるように構成することで第２の発光領域Ａ２を形成している。そして、第１の発光領域Ａ１における直列接続されたＥＬ素子の末端のカソード端子と、第２の発光領域Ａ２における直列接続されたＥＬ素子の末端のカソード端子とが、前記表示パネルのほぼ中央における１つの電位点Ｖｋにおいて接続された構成にされている。
【００３３】
前記した構成によると、上半部の発光領域Ａ１と下半部の発光領域Ａ２とは独立して発光制御を行なうことができ、上下を合わせて１つの画像を表現することもできる。この図６に示した実施の形態においては、図１に示した構成の作用効果をそのまま享受することができる。また図４に示した全消灯スイッチＳa1〜Ｓamを、図６に示した構成に採用することもでき、さらに図５に示したリーク防止スイッチＳb11 〜Ｓbmn を、この図６に示した構成に採用することもできる。そして、これらの構成を採用した場合には、すでに説明したそれぞれの作用効果を享受することができる。
【００３４】
以上説明した各実施の形態においては、各ＥＬ素子が順方向に直列接続されて表示パネルＰａ上に列方向に配列され、各列ごとに定電流源Ｉ1 〜Ｉm より、それぞれ点灯駆動電流が供給されるように構成されている。しかしながら、この発明はこの様な構成に限らず、隣接する複数列を１つのブロックにして、このブロック内の各ＥＬ素子を順方向に直列接続し、ブロックごとに定電流源より点灯駆動電流を供給する構成も採用することができる。
【００３５】
図７は、その例を示したものであり、すでに説明した図１における各部と同一機能を果たす部分を同一符号で示しており、したがって重複する説明は省略する。この図７に示す例おいては紙面の都合により、マトリクス状に配列された第１列と第２列の各ＥＬ素子が順方向に直列に接続されて、第１ブロックＢ１を構成している。また、同様に第３列と第４列の各ＥＬ素子が順方向に直列に接続されて、第２ブロックＢ２を構成している。
【００３６】
そして、第１ブロックＢ１の各ＥＬ素子には定電流源Ｉ1 からの点灯駆動電流が供給され、第２ブロックＢ２の各ＥＬ素子には定電流源Ｉ2 からの点灯駆動電流が供給されるように構成されている。なお、図７には示されていないが、第５列以降の各ＥＬ素子においても同様の構成になされている。
【００３７】
図７に示した例においては、１つのブロックを２列で構成しているが、これはさらに多数の列を１つのブロックに構成することもできる。さらには１つの表示パネルにマトリクス状に配列された全てのＥＬ素子を順方向に直列に接続し、一つの定電流源から点灯駆動電流が供給されるように構成することもできる。
【００３８】
図８はその例を示したものであり、すでに説明した図１における各部と同一機能を果たす部分を同一符号で示しており、したがって重複する説明は省略する。これら、図７および図８に示す構成によると、各ＥＬ素子を点灯駆動させる定電流源の数をさらに減少させることができ、発光表示装置としての構成を簡素化させることができる。
【００３９】
なお、以上説明した各実施の形態においては、発光素子としてダイオード特性を有する有機ＥＬ素子を用いているが、これはダイオード特性を有するもの以外の他の電流駆動型の発光素子を用いることもできる。また、前記した各実施の形態においては、個別点灯制御スイッチ、全消灯スイッチ、ならびにリーク防止スイッチとしてそれぞれＴＦＴを用いているが、この発明を例えば大型の発光表示パネルに適用した場合においては、前記ＴＦＴに代えて例えばリレーで構成することも考えられ、当該リレーのオン・オフ駆動をタイマーで制御させることも可能である。
【００４０】
以上説明したこの発明にかかる発光表示装置は、例えば携帯用電話機や携帯型情報端末機（ＰＤＡ）、もしくはパーソナルコンピュータ等を含む電子機器の表示装置に好適に採用することができ、このような電子機器に採用した場合においても、前記した作用効果をそのまま享受することができる。
【図面の簡単な説明】
【００４１】
【図１】この発明にかかる発光表示装置の第１の実施の形態を示した回路構成図である。
【図２】図１における個別点灯制御スイッチの作用を説明する一部の回路構成図である。
【図３】図１および図２に示す個別点灯制御スイッチの具体的な一例を示した回路構成図である。
【図４】この発明にかかる発光表示装置の第２の実施の形態を示した回路構成図である。
【図５】同じく第３の実施の形態を示した回路構成図である。
【図６】同じく第４の実施の形態を示した回路構成図である。
【図７】同じく第５の実施の形態を示した回路構成図である。
【図８】同じく第６の実施の形態を示した回路構成図である。
【符号の説明】
【００４２】
Ａ１，Ａ２      発光領域
Ｃ11，Ｃ12      電荷保持用キャパシタ
Ｅ11〜Ｅmn      有機ＥＬ素子（自発光素子）
Ｉ1 〜Ｉm       定電流源
Ｐａ            表示パネル
Ｑ11，Ｑ12      ＴＦＴ
Ｓ11〜Ｓmn      個別点灯制御スイッチ
Ｓa1〜Ｓam      全消灯スイッチ
Ｓb11 〜Ｓbmn   リーク防止スイッチ
【図１】
2005234487.tif 000003
【図２】
2005234487.tif 000004
【図３】
2005234487.tif 000005
【図４】
2005234487.tif 000006
【図５】
2005234487.tif 000007
【図６】
2005234487.tif 000008
【図７】
2005234487.tif 000009
【図８】
2005234487.tif 000010